(57)【要約】【課題】  フィルタのネットにたるみが発生した場合、付着した埃がフィルタ形状により取り残しがあり十分に清掃することが困難な場合がある。【解決手段】  送風機構及びこの送風機構の上流側に設けられるフィルタを有する空気清浄機本体と、フィルタと対向するように空気清浄機本体に設けられるパネルと、フィルタとパネルとの間に設けられ、フィルタを清掃する清掃ユニットと、フィルタの被清掃面に沿って清掃ユニットを往復移動させる動力伝達機構と、動力伝達機構に駆動力を与える駆動源と、を備え、清掃ユニットは、被清掃面に接して塵埃を取り除く清掃体と、清掃体で取り除いた塵埃を回収する回収機構を備え、清掃体の刷毛構造を、フィルタのネットのたるみに合わせた構造とした空気清浄機。【選択図】  図１
2018134591.tif 000002
【特許請求の範囲】
【請求項１】
送風機構及びこの送風機構の上流側に設けられるフィルタを有する空気清浄機本体と、前記フィルタと対向するように前記空気清浄機本体に設けられるパネルと、前記フィルタと前記パネルとの間に設けられ、前記フィルタを清掃する清掃ユニットと、前記フィルタの被清掃面に沿って前記清掃ユニットを往復移動させる動力伝達機構と、前記動力伝達機構に駆動力を与える駆動源と、を備え、前記清掃ユニットは、前記被清掃面に接して塵埃を取り除く清掃体と、前記清掃体で取り除いた塵埃を回収する回収機構を備え、
前記清掃体の刷毛構造を、前記フィルタのネットのたるみに合わせた構造としたことを特徴とする空気清浄機。
【発明の詳細な説明】
【技術分野】
【０００１】
本発明は主に、清掃ユニットを往復移動させ被清掃面に接して塵埃を取り除く清掃体と、前記清掃体で取り除いた塵埃を回収する回収機構を備用いる空気清浄機に関する。
【背景技術】
【０００２】
送風機構の上流側に設けられるフィルタと対向するように空気清浄機本体に設けられるパネルとの間に設けられたフィルタを清掃する清掃ユニットで被清掃面に接して塵埃を取り除く清掃体と清掃体で取り除いた塵埃を回収する回収機構を備えた空気清浄機。
当社製品EP-LVG110等がある。
【先行技術文献】
【特許文献】
【０００３】
【特許文献１】特開２００８−２４６４６３号公報
【発明の概要】
【発明が解決しようとする課題】
【０００４】
従来の技術では、フィルタのネットにたるみが発生した場合、付着した埃がフィルタ形状により取り残しがあり十分に清掃することが困難な場合がある。
【課題を解決するための手段】
【０００５】
上記課題を解決すべく、本発明に関わる空気清浄機は、送風機構及びこの送風機構の上流側に設けられるフィルタを有する空気清浄機本体と、前記フィルタと対向するように前記空気清浄機本体に設けられるパネルと、前記フィルタと前記パネルとの間に設けられ、前記フィルタを清掃する清掃ユニットと、前記フィルタの被清掃面に沿って前記清掃ユニットを往復移動させる動力伝達機構と、前記動力伝達機構に駆動力を与える駆動源と、を備え、前記清掃ユニットは、前記被清掃面に接して塵埃を取り除く清掃体と、前記清掃体で取り除いた塵埃を回収する回収機構を備え、前記清掃体の刷毛構造を、前記フィルタのネットのたるみに合わせた構造としたものである。
【発明の効果】
【０００６】
本発明によれば、清掃性を向上することが可能となる。
【図面の簡単な説明】
【０００７】
【図１】本発明の実施形態に係る空気清浄機の外観斜視図である。
【図２】本発明の実施形態に係る空気清浄機の分解斜視図である。
【図３】図１のＡ−Ａ線断面図である。
【図４】本発明の実施形態に係る清掃ユニットを搭載したリアパネルを示す斜視図である。
【図５】動力伝達機構を示す斜視図である。
【図６】プレフィルタを示す斜視図である。
【図７】本発明の実施形態に係る空気清浄機からリアパネルを取り外した背面斜視図である。
【図８】動力伝達機構のジョイントを示す図５の拡大図である。
【図９】ジョイントと連結される駆動軸カップリングを示す図７の拡大図である。
【図１０】清掃ユニットを示す分解斜視図である。
【図１１】清掃ユニットを示す背面斜視図である。
【図１２】清掃体を示す背面斜視図である。
【図１３】清掃ユニットを前側から見たときの斜視図である。
【図１４】図１３のＢ−Ｂ線断面図である。
【図１５】フィルタ清掃時の清掃ユニットの動作を示す断面図である。
【図１６】フィルタ清掃時の転向ブラシの動作を示す側面図である。
【図１７】追加植毛３２ｈの植毛位置を示す図である。
【図１８】プレフィルタ８ａの格子と追加植毛３２ｈの位置を示す図である。
【発明を実施するための形態】
【０００８】
以下、本発明の実施例を図面に従って説明する。
【０００９】
図１は、本発明の実施形態に係る空気清浄機の外観斜視図である。
【００１０】
図１に示すように、空気清浄機１は、空気清浄機本体１００と、空気清浄機本体１００の後部に着脱可能に設けられるリアパネル（パネル）２０と、を有する。
空気清浄機本体１００は、略箱形状のハウジング２と、加湿機構３と、を備えている。 ハウジング２は、フロントパネル２ａと、一対のサイドパネル２ｂ，２ｂ（図１には、左側のサイドパネル２ｂのみ図示）と、アッパケース２ｃと、を備えている。また、ハウジング２は、水タンク３ｃ（図２参照）が引き出し可能に収容されるタンクベース４と、タンクベース４に取り付けられるリアケース２ｄ（図２参照）と、を介して組み立てられている
また、ハウジング２の上部には、開閉角度の調節が可能なフラップ５が設けられている。フラップ５は、後縁側を軸にして前縁側が持ち上がるように回動して開く構成となっている。なお、図１は、フラップ５が閉じた状態である。
加湿機構３は、ハウジング２内に、加湿フィルタ３ａと、給水機構３ｂと、水タンク３ｃと、を備えている。なお、図１の左側のサイドパネル２ｂには、加湿フィルタ３ａをハウジング２から取り出す際の開閉蓋２ｅが設けられている。
なお、本実施形態では、加湿機構３を備えた空気清浄機１を例に挙げて説明したが、加湿機構３を備えていない空気清浄機であってもよい。
【００１１】
図２は、本発明の実施形態に係る空気清浄機の分解斜視図である。
【００１２】
図２に示すように、空気清浄機１のハウジング２には、リアパネル２０が取り付けられる側（後側）からフロントパネル２ａ側（前側）に向かって、フィルタ部材８と、加湿フィルタ３ａと、送風機構１０と、がこの順番で配置されている。フィルタ部材８は、ハウジング２から着脱可能である。このように本実施形態に係る空気清浄機１は、背面から空気を取り込むタイプである。
フィルタ部材８は、送風機構１０によりハウジング２内に吸い込んだ空気を浄化するために設けられるものであり、送風機構１０の上流側に設けられている。また、フィルタ部材８は、プレフィルタ８ａと、集塵フィルタ８ｂと、脱臭フィルタ８ｃとで主に構成されている。また、フィルタ部材８は、リアパネル２０側からフロントパネル２ａ側に向かって、プレフィルタ８ａと、集塵フィルタ８ｂと、脱臭フィルタ８ｃとがこの順番で配置される。
また、リアパネル２０は、空気清浄機本体１００（図１参照）に取り付けられた状態でフィルタ部材８と対向する。また、リアパネル２０は、フィルタ部材８と対向する面に、プレフィルタ８ａを清掃する清掃ユニット３０と、清掃ユニット３０をプレフィルタ８ａに対し上下方向に往復移動させる動力伝達機構４０と、を備える。
図３は、図１のＡ−Ａ線断面図である。
【００１３】
図３に示すように、送風機構１０の遠心ファン１１が回転することによって、リアパネル２０に形成されたスリット状の吸気口２１ａ（図２参照）からハウジング２内に外部の空気が流入する。そして、流入した空気は、フィルタ部材８と、加湿フィルタ３ａと、をこの順番で通流し、加湿空気となる。その後、加湿空気は、遠心ファン１１が収納されるスクロール１２内に吸い込まれて、そして、スクロール１２の吐出口１２ａ２からフィルタ１５及びフラップ５を介して空気清浄機１の外に送り出される。
図４は、本発明の実施形態に係る清掃ユニットを搭載したリアパネルを示す斜視図、図５は、動力伝達機構を示す斜視図である。
【００１４】
図４に示すように、リアパネル２０は、背面（後面）２１ｃが後方に向けて凸状に湾曲した形状を有している。吸気口２１ａは、上端から下端に向けて細長いスリット形状であり、左右方向（幅方向）の中央から外側に向けて複数列に配置されている。すなわち、リアパネル２０を左方向（右方向）から側面視したときに、左右方向の中央の吸気口２１ａが最も後方に位置し、左右側方に向けて吸気口２１ａの位置が徐々に前方側に位置するようになっている。これにより、リアパネル２０の側方（横方向）から空気を取り込むことができ、空気清浄機１が壁際に設置された場合であっても、空気清浄機１内に多くの空気を取り込むことが可能になる。
清掃ユニット３０は、リアパネル２０に取り付けられ、動力伝達機構４０によって上下方向に往復動作するように構成されている。また、清掃ユニット３０は、リアパネル２０の左端から右端にかけて延在する略直方体形状のものであり、清掃体（回転清掃体）としての捕集ブラシ３２ｄと、捕集ブラシ３２ｄで捕集した塵埃（ほこり、ゴミ）を回収する回収機構７０と、を備えている。すなわち、清掃ユニット３０が最下端の位置（後述するホームポジション）に位置した際には、歯部２２ａと平歯車３５ｂとは噛み合わないように構成されている。
図５に示すように、動力伝達機構４０は、ラックギヤ４１ａが形成されたラックギヤケース４１と、シャフト４２と、ウォームギヤ４３と、シャフト軸受４４と、ジョイント４５と、を備えて構成されている。
【００１５】
図６は、プレフィルタを示す斜視図である。なお、図６は、外側（後面側）を向く面から見た状態を示している。なお、図６では、網目状ネットの図示を省略している（図７についても同様）。
【００１６】
図６に示すように、プレフィルタ８ａは、格子状に区画された枠体１８ａと、この枠体１８ａの左右両端において側方に突出する一対の固定部１８ｂ，１８ｂと、枠体１８ａの下端において下方に突出する一対の突片部１８ｃ，１８ｃと、を有している。枠体１８ａの外側は、内側よりも太い幅で形成されている。固定部１８ｂは、矩形状を呈し、上側に位置する一部が一段低い薄肉部１８ｂ１を有している。
【００１７】
図７は、本発明の実施形態に係る空気清浄機からリアパネルを取り外した背面斜視図である。
【００１８】
図１０は、清掃ユニットを示す分解斜視図である。
【００１９】
図１０に示すように、清掃ユニット３０は、ユニットケース３１と、ブラシロータ３２（清掃体）と、回収ブラシステー３３と、ケース蓋３４と、ガイド軸３５と、を備えて構成されている。なお、本実施形態では、ユニットケース３１と、回収ブラシステー３３と、ケース蓋３４とによって、回収機構７０が構成されている。
図１３は、清掃ユニットを前方から見たときの斜視図である。
【００２０】
図１３に示すように、捕集ブラシ３２ｄと転向ブラシ３２ｅは、周方向の一端が一致するように回転体３２ｃに設けられている。なお、図１３に示す捕集ブラシ３２ｄは、プレフィルタ８ａに付着した塵埃の捕集を開始するときの位置である。
【００２１】
図１４は、図１３のＢ−Ｂ線断面図である。
【００２２】
図１４に示すように、捕集ブラシ３２ｄは、ブラシロータ３２の回転方向Ｗに対して傾斜方向Ａ１が傾斜した傾斜植毛３２ｄ１を有している。なお、図１４に示す状態において、捕集ブラシ３２ｄの先端が上側を向くように構成されている。
図１７は、３２ｈの植毛位置を示す。傾斜植毛３２ｄ１より３ｍｍ程度長くする。３２ｈの材質は、ＡＢＳで硬めの素材の方がよい。
【００２３】
図１８はプレフィルタ８ａの格子と追加植毛３２ｈの位置を示す図である。格子中央に向かうにつれ徐々に植毛長さを長くする。追加植毛３２ｈの長さを図６の格子状に区画された枠体１８Ａ上に位置する追加植毛部を付加せず、格子中央部に向かうに従い刷毛長さを長くする。
上記の刷毛にすることにより、プレフィルタ８ａのネットのたるみが発生した場合に埃の取り残しを少なくすることを可能とする。
【符号の説明】
【００２４】
１      空気清浄機
２      ハウジング
２ｄ    リアケース
８      フィルタ部材
８ａ    プレフィルタ（フィルタ）
８ｂ    集塵フィルタ
８ｃ    脱臭フィルタ
９      駆動用モータユニット
９ａ    駆動軸カップリング
９ｂ    位置センサ
１０    送風機構
１８Ａ  枠部（枠）
１８ｄ  突起部
２０    リアパネル（パネル）
２１ａ  吸気口
２１ｂ  リアパネルロック爪
２２    ガイドレール
２２ａ  歯部
３０    清掃ユニット
３１    ユニットケース
３１ｂ１  被検出突起
３１ｅ１  回動規制突起
３２    ブラシロータ（清掃体）
３２ａ，３２ｂ  軸部
３２ｃ  回転体
３２ｄ  捕集ブラシ
３２ｄ１  傾斜植毛
３２ｅ  転向ブラシ
３２ｅ１  傾斜植毛
３２f    追加植毛
３３    回収ブラシステー
３３ａ，３３ｂ  軸部
３３ｃ  回収ブラシ
３３ｃ１  傾斜植毛
３３ｄ  付勢部材
３４    ケース蓋
３５    ガイド軸
４０    動力伝達機構
４１    ラックギヤケース
４１ａ  ラックギヤ
４２    シャフト
４３    ウォームギヤ
４４    シャフト軸受
４５    ジョイント
５０    ホルダ
６０    ブラシ転向機構
７０    回収機構
１００  空気清浄機本体
Ａ１，Ａ２，Ａ３  傾斜方向
Ｑ      回収ボックス
【図１】
2018134591.tif 000003
【図２】
2018134591.tif 000004
【図３】
2018134591.tif 000005
【図４】
2018134591.tif 000006
【図５】
2018134591.tif 000007
【図６】
2018134591.tif 000008
【図７】
2018134591.tif 000009
【図８】
2018134591.tif 000010
【図９】
2018134591.tif 000011
【図１０】
2018134591.tif 000012
【図１１】
2018134591.tif 000013
【図１２】
2018134591.tif 000014
【図１３】
2018134591.tif 000015
【図１４】
2018134591.tif 000016
【図１５】
2018134591.tif 000017
【図１６】
2018134591.tif 000018
【図１７】
2018134591.tif 000019
【図１８】
2018134591.tif 000020